(57)【要約】【課題】椅子に対して小物入れを着脱自在に装着するにあたって、美観が損なわれることを可及的に抑制しつつ、椅子に対して小物入れを確実に装着すること。【解決手段】本発明に係る小物入れ（４）は、ポケット（４２、４３）とポケット支持部材（４１）と取付部材（４４）とを備えている。ポケットは、面状部材であるポケット支持部材に支持されている。取付部材は、ポケット支持部材と接続された可撓性の面状部材である。この取付部材は、小物入れを椅子（２）に装着する際に肘掛部（２４）に掛け渡されるとともに、取付部材のポケット支持部材から離隔した側の端部である裾部（４４ａ）が着座支持部（２２）と着座部（２１）との間で挟持されるように構成されている。取付部材の、小物入れが椅子に装着された状態にて外部に露出する部分は、肘掛部の表皮材を構成する素材と同一素材で形成されている。【選択図】      図１
2014045875.tif 000002
【特許請求の範囲】
【請求項１】
使用者が着座する着座部と、前記着座部を下方から支持する着座支持部と、前記着座部と隣接するように当該着座部の側方に配置されていて前記着座支持部から上方に向かって延びるように設けられた肘掛部と、を備えていて前記着座部が着脱自在に構成された椅子に対して、着脱自在に構成された小物入れであって、
小物を収容可能な空間を形成する部材であるポケットと、
前記ポケットを支持する面状部材であるポケット支持部材と、
前記ポケット支持部材と接続された可撓性の面状部材であって、当該小物入れを前記椅子に装着する際に前記肘掛部に掛け渡されるとともに前記ポケット支持部材から離隔した側の端部である裾部が前記着座支持部と前記着座部との間で挟持されるように構成された取付部材と、
を備え、
前記取付部材における、当該小物入れが前記椅子に装着された状態にて外部に露出する部分は、前記肘掛部の表皮材を構成する素材と同一素材で形成されたことを特徴とする小物入れ。
【発明の詳細な説明】
【技術分野】
【０００１】
本発明は、椅子（より典型的にはソファ）に対して着脱自在に構成された小物入れに関する。
【背景技術】
【０００２】
椅子を覆うカバーとして、肘掛を覆う部分にポケットを有するものが知られている（例えば、実開平１−１１９５５０号公報、登録実用新案第３０４１０６５号公報、等。）。
【先行技術文献】
【特許文献】
【０００３】
【特許文献１】実開平１−１１９５５０号公報
【特許文献２】登録実用新案第３０４１０６５号公報
【発明の概要】
【発明が解決しようとする課題】
【０００４】
上述したような、肘掛を覆う部分にポケットを有する椅子カバーを用いた場合、椅子が配置されている空間（リビングルーム等）における美観の統一性が損なわれる可能性が高かった。また、ポケットに比較的重い物品（家電製品のリモコン装置や雑誌等）を収容した場合に、ポケットが床面までずり落ちたりカバーがずれたりすることでさらに美観が損なわれる可能性が高かった。
【０００５】
本発明は、上述のような事情等に鑑みてなされたものであって、椅子に対して小物入れを着脱自在に装着するにあたって、美観が損なわれることを可及的に抑制しつつ、椅子に対して小物入れを確実に装着することを目的とする。
【課題を解決するための手段】
【０００６】
本発明の小物入れが装着される椅子は、着座部と着座支持部と肘掛部とを備えていて、前記着座部が着脱自在に構成されている。前記着座部は、使用者が着座するために設けられる部材である（典型的な具体例としては座面クッション）。この着座部は、前記着座支持部によって下方から支持されている。前記肘掛部は、前記着座部と隣接するように、当該着座部の側方に配置されている。この肘掛部は、前記着座支持部から上方に向かって延びるように設けられている。
【０００７】
本発明の小物入れは、前記椅子に対して着脱自在に構成されているものであって、ポケットとポケット支持部材と取付部材とを備えている。前記ポケットは、小物（物品）を収容可能な空間を形成する部材であって、ポケット支持部材に支持されている（固定されている）。前記ポケット支持部材は、面状部材（典型的な具体例としては布地）によって形成されている。前記取付部材は、可撓性の面状部材（典型的な具体例としては布地）であって、前記ポケット支持部材と接続されている（典型的には前記取付部材は前記ポケット支持部材と継ぎ目無く一体に形成され得る）。この取付部材は、前記小物入れを前記椅子に装着する際に、裾部（この裾部は、前記ポケット支持部材から離隔した側の、前記取付部材の端部である。）が前記着座支持部と前記着座部との間で挟持されつつ、前記肘掛部に掛け渡されるように構成されている。そして、前記取付部材における、前記小物入れが前記椅子に装着された状態にて外部に露出する部分は、前記肘掛部の表皮材を構成する素材と同一素材で形成されている。なお、前記肘掛部の表皮材は、前記着座部の表皮材と同一素材で形成され得る。
【発明の効果】
【０００８】
かかる構成を有する本発明の小物入れは、以下のようにして前記椅子に装着され得る。まず、前記椅子から前記肘掛部（当該肘掛部が複数ある場合は前記小物入れが掛け渡されて装着されるもの：以下この項において同様）に隣接する前記着座部が取り外される。次に、前記着座支持部における前記着座部が取り外された箇所に前記取付部材の前記裾部が位置するように、前記取付部材が前記肘掛部に掛け渡される（このとき、前記ポケット支持部は、前記ポケットが外側を向くような態様で当該肘掛部の外側面側に位置する。）。その後、前記着座支持部における、前記着座部が取り外されて前記取付部材の前記裾部が配置された箇所の上に、前記着座部が載置されることで、当該着座部が前記椅子に再装着される。
【０００９】
かかる構成によれば、面状ファスナ等の特別な固定器具を用いることなく、前記小物入れが前記椅子に確実に装着される。特に、前記ポケットに比較的重い物品が収容された場合であっても、前記ポケット及び前記ポケット支持部材が床面までずり落ちることが、良好に防止される。
【００１０】
また、前記取付部材における、前記小物入れが前記椅子に装着された状態にて外部に露出する部分（具体的には、例えば、前記取付部材における、少なくとも前記小物入れが前記椅子に装着された状態にて前記肘掛部に掛け渡される部分）は、前記肘掛部の表皮材を構成する素材と同一素材で形成されている。よって、前記椅子を前記小物入れに装着した場合に、当該椅子が配置されている空間における美観の統一性を可及的に保つことができる。
【００１１】
したがって、本発明によれば、美観が損なわれることを可及的に抑制しつつ、前記椅子に対して前記小物入れを確実に装着することが可能になる。
【図面の簡単な説明】
【００１２】
【図１】本発明が適用されたソファセットの全体構成を示す斜視図である。
【発明を実施するための形態】
【００１３】
以下、本発明を具体化した一実施の形態について、図面を参照しつつ説明する（変形例は末尾にまとめて記載する）。図１は、本発明が適用されたソファセット１の全体構成を示す斜視図である。このソファセット１は、ソファ２とオットマン３と小物入れ４とを備えている。
【００１４】
＜ソファの構成＞
ソファ２は、座面クッション２１と着座支持部２２と脚部２３と肘掛部２４と背部２５とから構成されている。本実施形態におけるソファ２は、いわゆる２人掛けソファとして構成されている。すなわち、２つの座面クッション２１が、水平に配列されつつ、着座支持部２２の上に載置されている。本実施形態においては、座面クッション２１は、クッション材（ウレタンフォーム、羽毛、綿、等）の周囲を、布地からなる表皮材で覆うことで構成されている。また、座面クッション２１は、略直方体状に形成されている。
【００１５】
着座支持部２２は、座面クッション２１を下方から支持する部材であって、２つの座面クッション２１を互いに隣接するように水平に配列した際の平面視とほぼ同形状の平面形状を有する略直方体状に構成されている。本実施形態においては、着座支持部２２は、矩形箱形状の部材の表面を、上述の座面クッション２１の表皮材と同一素材の表皮材、具体的には、座面クッション２１の表皮材を構成する布地と同一の布地（生地の種類、風合い及びデザインが同一の布地）によって覆うことで形成されている（ここで、「同一素材」とは、材質及び意匠が同一であることをいうものとする）。また、着座支持部２２の平面視における四隅には、脚部２３が、下方に突出するように設けられている。
【００１６】
肘掛部２４は、着座支持部２２の幅方向（２つの座面クッション２１の配列方向）における端部から上方に向かって延びるように設けられている。具体的には、本実施形態においては、一対の肘掛部２４が、着座支持部２２の幅方向における両端部にそれぞれ固定されている。また、肘掛部２４は、着座支持部２２の幅方向に沿って座面クッション２１と隣接するように、座面クッション２１の側方（着座支持部２２の幅方向における外側）に設けられている。そして、肘掛部２４と、これと隣接する座面クッション２１とは、互いに密着するように配置されている。さらに、本実施形態においては、肘掛部２４は、木材等からなる芯材の外側にウレタンフォーム層を設けるとともに、このウレタンフォーム層の表面を上述の座面クッション２１及び着座支持部２２の表皮材と同一素材の表皮材によって覆うことで形成されている。
【００１７】
背部２５は、着座支持部２２の背面側（図中右上奥側）から上方に向かって延びるように設けられている。本実施形態においては、背部２５は、木材等からなる芯材の外側にウレタンフォーム層を設けるとともに、このウレタンフォーム層の表面を上述の座面クッション２１、着座支持部２２及び肘掛部２４の表皮材と同一素材の表皮材によって覆うことで形成されている。
【００１８】
ソファ２に着座した使用者の足載せ台として使用されるオットマン３は、略直方体状に形成されている。このオットマン３は、表面を上述の座面クッション２１、着座支持部２２及び肘掛部２４の表皮材と同一素材の表皮材によって覆うことで形成されている。
【００１９】
＜小物入れの構成＞
小物入れ４は、ポケット支持部材４１と小ポケット４２と大ポケット４３と取付部材４４とから構成されている。ポケット支持部材４１は、平面視にて略矩形状の面状部材であって、具体的には、上述の座面クッション２１、着座支持部２２、肘掛部２４及び背部２５の表皮材と同一の素材（布地）によって形成されている。ポケット支持部材４１には、小ポケット４２と大ポケット４３とが支持されている。小ポケット４２及び大ポケット４３は、小物（物品）を収容可能な空間を形成する部材であって、ポケット支持部材４１と同一の素材によって形成されている。小ポケット４２及び大ポケット４３は、ポケット支持部材４１に対して縫製によって固定されている。
【００２０】
家電製品のリモコン装置や筆記具等の比較的小さな物品を収容するための小ポケット４２は、小物入れ４がソファ２に取り付けられた状態（図１参照）にて、肘掛部２４の上端から垂れ下がった当該小物入れ４の部分における下端部に位置するように、当該小物入れ４の長手方向における一方の端部（取付部材４４から離隔した側の端部）に設けられている。本実施形態においては、複数（具体的には３つ）の小ポケット４２が、当該小物入れ４の幅方向（上述の長手方向と直交し且つポケット支持部材４１を構成する布地の厚さ方向と直交する方向）に沿って配列するように設けられている。
【００２１】
大判の雑誌等の比較的幅広の物品を収容するための大ポケット４３は、小物入れ４がソファ２に取り付けられた状態（図１参照）にて小ポケット４２の上方に位置するように設けられている。本実施形態においては、１つの大ポケット４３が、当該小物入れ４の幅方向におけるほぼ全体にわたって設けられている。
【００２２】
取付部材４４は、平面視にて略矩形状の可撓性の面状部材であって、ポケット支持部材４１と接続されている。具体的には、本実施形態においては、取付部材４４は、ポケット支持部材４１と同一の素材（すなわち上述の座面クッション２１、着座支持部２２、肘掛部２４及び背部２５の表皮材と同一の素材）によって形成されている。また、取付部材４４は、ポケット支持部材４１と継ぎ目無く一体に形成されている。この取付部材４４は、当該小物入れ４をソファ２に装着する際に肘掛部２４に掛け渡されるとともに裾部４４ａが着座支持部２２と座面クッション２１との間で挟持されるように構成されている。ここで、裾部４４ａは、取付部材４４におけるポケット支持部材４１から離隔した側の端部であって、長尺状の小物入れ４の長手方向における他方（前記一方とは反対側）の端部を構成する部分である。
【００２３】
上述のように、本実施形態においては、小ポケット４２、大ポケット４３、ポケット支持部材４１及び取付部材４４の、小物入れ４がソファ２に装着された状態にて外部に露出する部分は、ソファ２の表皮材を構成する素材と同一素材で形成されている。
【００２４】
＜作用・効果＞
かかる構成を有する、本実施形態の小物入れ４は、以下のようにしてソファ２に装着され得る。まず、ソファ２から、小物入れ４を装着する方の肘掛部２４（図中右側のもの）に隣接する座面クッション２１が取り外される。次に、着座支持部２２における座面クッション２１が取り外された箇所に取付部材４４の裾部４４ａが位置するように、取付部材４４が肘掛部２４に掛け渡される。このとき、ポケット支持部材４１は、小ポケット４２及び大ポケット４３が外側を向き且つこれらの開口部が上方を向くような態様で、肘掛部２４の外側面側に位置する。その後、着座支持部２２における、座面クッション２１が取り外されて取付部材４４の裾部４４ａが配置された箇所に、座面クッション２１が再度載置される。
【００２５】
ここで、本実施形態においては、取付部材４４における、小物入れ４がソファ２に装着された状態にて外部に露出する部分（具体的には、取付部材４４における、少なくとも小物入れ４がソファ２に装着された状態にて肘掛部２４に掛け渡される部分）は、肘掛部２４の表皮材を構成する素材と同一素材で形成されている。さらにいえば、本実施形態においては、小ポケット４２、大ポケット４３、ポケット支持部材４１及び取付部材４４の、当該小物入れ４がソファ２に装着された状態にて外部に露出する部分は、肘掛部２４の表皮材を構成する素材と同一素材で形成されている。
【００２６】
かかる構成によれば、面状ファスナ等の特別な固定器具を用いることなく、また、ソファ２が配置されている空間における美観の統一性を損ねることなく、小物入れ４がソファ２に確実に装着される。特に、小ポケット４２及び／又は大ポケット４３に、家電製品のリモコン装置や大判でページ数の多い雑誌等のような、比較的重い物体が収容された場合であって、且つソファ２に誰も着座していないときであっても、小物入れ４がずれたりポケット支持部材４１が床面までずり落ちたりすることが、良好に防止される。
【００２７】
したがって、本実施形態の構成によれば、ソファ２に対して小物入れ４を着脱自在に装着するにあたって、美観が損なわれることを可及的に抑制することが可能になる。
【００２８】
＜変形例＞
なお、上述の実施形態は、出願人が取り敢えず本願の出願時点において最良であると考えた本発明の代表的な実施形態を、単に例示したものにすぎない。よって、本発明はもとより上述の実施形態に何ら限定されるものではない。したがって、本発明の本質的部分を変更しない範囲内において、上述の実施形態に対して種々の変形が施され得ることは、当然である。
【００２９】
以下、代表的な変形例について、幾つか例示する。以下の変形例の説明において、上述の実施形態にて説明されているものと同様の構成及び機能を有する部材に対しては、上述の実施形態と同様の符号が用いられ得るものとする。そして、かかる部材の説明については、技術的に矛盾しない範囲内において、上述の実施形態における説明が援用され得るものとする。
【００３０】
もっとも、言うまでもなく、変形例とて、以下に列挙されたものに限定されるものではない。また、複数の変形例が、技術的に矛盾しない範囲内において、適宜、複合的に適用され得る。
【００３１】
ソファセット１において、オットマン３は、省略され得る。すなわち、ソファセット１は、ソファ２と小物入れ４とからなるものであってもよい。また、本発明は、２人掛けのソファ２に限定されない。したがって、１人掛けや３人掛けのソファ２に対しても本発明が良好に適用されることは、いうまでもない。
【００３２】
脚部２３は、省略され得る。すなわち、ソファ２は、着座支持部２２及び肘掛部２４が床面に接するように構成され得る。また、肘掛部２４は、ソファ２に１つだけ設けられていてもよい。さらに、背部２５は、肘掛部２４と同じ高さで形成されていてもよい（この場合、肘掛部２４と背部２５とは平面視にてＬ字形あるいはＵ字形に一体的に形成され得る。）。
【００３３】
座面クッション２１の形状は、略直方体状に限定されない。また、上述の座面クッション２１等の表皮材は、布地以外のもの（天然皮革、合成皮革、等。）から構成されていてもよい。さらに、肘掛部２４の表皮材と、それ以外の部分（着座支持部２２等）の表皮材とは、異なるものであってもよい。
【００３４】
ポケット支持部材４１と取付部材４４とは、別部材として形成されていて、縫製や接着等によって互いに接合されていてもよい。
【００３５】
小ポケット４２、大ポケット４３、ポケット支持部材４１又は取付部材４４は、面状の芯部材の表面を上述の表皮材で覆ったり、かかる芯部材と表皮材とをラミネートしたりすることで形成されていてもよい。
【００３６】
取付部材４４の、少なくとも当該小物入れ４がソファ２に装着された状態にて外部に露出する部分が、肘掛部２４の表皮材を構成する素材と同一素材で形成されていれば、上記の作用・効果が充分奏される。したがって、小ポケット４２、大ポケット４３、ポケット支持部材４１及び取付部材４４のうちの、上記以外の部分は、肘掛部２４の表皮材を構成する素材とは異なる素材によって構成されていてもよい。具体的には、例えば、取付部材４４のうちの、座面クッション２１によって上方から覆われる部分は、上述の表皮材とは異なる素材によって構成されていてもよい。あるいは、かかる部分には、上述の表皮材が設けられていなくてもよい。また、小ポケット４２及び／又は大ポケット４３は、取付部材４４等とは異なる素材によって構成されていてもよい。
【００３７】
小ポケット４２及び大ポケット４３の数や配置は、上記の実施形態から適宜変更され得る。具体的には、例えば、小ポケット４２と大ポケット４３とのうちのいずれか一つは、省略され得る。あるいは、小ポケット４２及び大ポケット４３の他に、他の新たなポケットが設けられ得る。
【符号の説明】
【００３８】
１…ソファセット、２…ソファ、２１…座面クッション、２２…着座支持部、２３…脚部、２４…肘掛部、２５…背部、４…小物入れ、４１…ポケット支持部材、４２…小ポケット、４３…大ポケット、４４…取付部材、４４ａ…裾部。
【図１】
2014045875.tif 000003